(57)【要約】【課題】  ＨＥＭＳ制御がおこなわれている最中に、使用者がＨＥＭＳ制御と異なる制御をリモコンで操作した場合、そのリモコン操作から一定時間後にはＨＥＭＳ制御に戻ってしまうため、使用者がＨＥＭＳによる制御が行われていることに気付かない限り、ＨＥＭＳ制御とリモコン制御が競合し、制御量が安定せず非効率な運転が行われてしまうおそれがある。【解決手段】  機器１に接続される通信装置４が、情報端末２からネットワークを介して出される動作指令情報を受信すると、リモコン５へ機器１がＨＥＭＳ制御されていることを示す表示を表示させる信号を送信する。【選択図】  図１
2014212369.tif 000002
【特許請求の範囲】
【請求項１】
機器と、
ネットワークを介して前記機器の動作指令を出す情報端末と、
前記ネットワークに接続され、前記情報端末から出される前記動作指令情報を、前記機器へ中継する中継器と、
前記機器に接続されるとともに前記中継器と通信可能であって、前記中継器から送信される前記動作指令情報を前記機器へ送信する通信装置と、
前記機器および前記通信装置と通信可能であって、前記ネットワークを介することなく、前記機器に直接に動作指令を出すリモコンと、
を備え、
前記通信装置が、前記中継器から前記動作指令情報を受信すると、前記リモコンへ、前記機器が前記ネットワークを介して動作指令されていることを示す表示を表示させる信号を送信することを特徴とする機器マネージメントシステム。
【請求項２】
機器と、
ネットワークを介して前記機器の動作指令を出す情報端末と、
前記ネットワークに接続され、前記情報端末から出される前記動作指令情報を、前記機器へ中継する中継器と、
前記機器に接続されるとともに前記中継器と通信可能であって、前記中継器から送信される前記動作指令情報を前記機器へ送信する通信装置と、
前記機器および中継器と通信可能であって、前記ネットワークを介することなく、前記機器に直接に動作指令を出すリモコンと、
を備え、
前記中継器が、前記情報端末から前記動作指令情報を受信すると、前記リモコンへ、前記機器が前記ネットワークを介して動作指令されていることを示す表示を表示させる信号を送信することを特徴とする機器マネージメントシステム。
【請求項３】
前記通信装置は、前記機器の動作状態を示す動作情報を収集し、前記リモコンへ送信する装置であり、
前記リモコンは、表示部を有し、前記動作情報を受信すると、前記表示部に前記動作情報を表示することを特徴とする請求項１に記載の機器マネージメントシステム。
【請求項４】
前記通信装置は、前記機器の動作状態を示す動作情報を収集し、前記中継器へ送信する装置であるとともに、前記中継器は、前記通信装置から前記動作情報を受信すると、前記動作情報を前記リモコンへ送信する装置であり、
前記リモコンは、表示部を有し、前記中継器から前記動作情報を受信すると、前記表示部に前記動作情報を表示することを特徴とする請求項３に記載の機器マネージメントシステム。
【請求項５】
前記リモコンは、有線通信機能もしくは無線通信機能を有し、双方向通信をおこなうことを特徴とする請求項１〜４のいずれかに記載の機器マネージメントシステム。
【請求項６】
前記リモコンは前記機器の運転を開始および停止を指示するキーを備え、
前記機器が前記ネットワークを介して動作指令されている場合、所定時間内に前記キーが連続で押されると、前記機器の前記ネットワークを介して指示されている動作指令よりも前記リモコンから指示される動作指令が優先して行われることを特徴とする請求項１〜５のいずれかに記載の機器マネージメントシステム。
【発明の詳細な説明】
【技術分野】
【０００１】
本発明は、住宅におけるエネルギの消費と利用者の快適性とを考慮して機器を制御する機器マネージメントシステムに関するものである。
【背景技術】
【０００２】
近年、住宅内に設置された機器が消費した電力を集計することにより、一括的に電力を管理するいわゆるＨＥＭＳ（Ｈｏｍｅ  Ｅｎｅｒｇｙ  Ｍａｎａｇｅｍｅｎｔ  Ｓｙｓｔｅｍ）が注目されており、ＨＥＭＳ制御によって家庭におけるエネルギ消費の低減、省エネを図るマネージメントシステムが実施されているが、ＨＥＭＳ制御によって家庭内の機器が制御されている最中に、機器それぞれに付属する専用のリモコンにより機器を制御した場合、ＨＥＭＳ制御とリモコン制御が競合するという問題が生じてしまう。
【０００３】
このような競合を避けるため、ＨＥＭＳ制御中に、リモコン制御がおこなわれた場合にはリモコン制御をおこない、使用者の入室から時間ｔ１が経過するまでの期間にリモコンによる設定温度の変更がない場合にはＨＥＭＳ制御をおこなう発明が知られている。（例えば、特許文献１参照）
【先行技術文献】
【特許文献】
【０００４】
【特許文献１】特開２０１１−０６９６０１号公報(第２６頁、第４図)
【発明の概要】
【発明が解決しようとする課題】
【０００５】
しかしながら、特許文献１には、時間ｔ１経過後、ＨＥＭＳ制御がおこなわれている最中に、使用者がリモコン操作したあとの動作については開示されていないが、時間ｔ１経過後、ＨＥＭＳ制御がおこなわれている最中に使用者がリモコン操作した場合にはリモコン操作が優先的に行われ、そのリモコン操作から一定の時間が経過すると、省エネを優先するため、再びＨＥＭＳ制御がおこなわれることが思料される。
【０００６】
その場合、ＨＥＭＳ制御がおこなわれている最中に、使用者がＨＥＭＳ制御と異なる制御をリモコンで操作しても、そのリモコン操作から一定時間後にはＨＥＭＳ制御に戻ってしまうため、結局、使用者がＨＥＭＳによる制御が行われていることに気付かない限り、ＨＥＭＳ制御とリモコン制御が競合し、制御量安定せず非効率な運転が行われてしまうおそれがある。
【０００７】
本発明は、上記のような問題を解決するためになされたものであり、ＨＥＭＳ制御とリモコン制御の競合を防止し、効率的で安定した運転を機器に行わせる機器マネージメントシステムを提供することを目的とする。
【課題を解決するための手段】
【０００８】
本発明に係る機器マネージメントシステムは、機器に接続される通信装置が、情報端末からネットワークを介して出される動作指令情報を受信すると、リモコンへ機器がＨＥＭＳ制御されていることを示す表示を表示させる信号を送信することを特徴とする。
【発明の効果】
【０００９】
本発明によれば、機器がＨＥＭＳ制御中であることに気付かずリモコン操作による機器の制御を行う場合でも、使用者がリモコン操作を行う際に機器がＨＥＭＳ制御中であることに気付くことができるので、ＨＥＭＳコントローラ制御とリモコン制御の競合を防止し、効率的で安定した運転を機器に行わせる機器マネージメントシステムを提供することができる。
【図面の簡単な説明】
【００１０】
【図１】本発明の実施の形態１に係る機器マネージメントシステムの全体構成を示した概略図である。
【図２】本発明の実施の形態１に係る機器マネージメントシステムの全体構成を示したブロック図である。
【図３】本発明の実施の形態１に係る機器マネージメントシステムの通信シーケンスを示した図である。
【図４】本発明の実施の形態１に係る機器マネージメントシステムにおけるリモコンの概略図を示す図である。
【図５】本発明の実施の形態２に係る機器マネージメントシステムの通信シーケンスを示した図である。
【図６】本発明の実施の形態２に係る機器マネージメントシステムにおけるリモコンの概略図を示す図である。
【図７】本発明の実施の形態３に係る機器マネージメントシステムの全体構成を示したブロック図である。
【図８】本発明の実施の形態３に係る機器マネージメントシステムの通信シーケンスを示した図である。
【図９】本発明の実施の形態４に係る機器マネージメントシステムにおけるリモコンの概略図を示す図である。
【図１０】本発明の実施の形態４に係る機器マネージメントシステムにおけるリモコンが機器のＨＥＭＳ制御中に入力部からの操作があった際に行う処理手順を示すフローチャート図である。
【発明を実施するための形態】
【００１１】
以下、本発明に係る照明器具の好適な実施の形態について図を参照して説明する。なお、これらの実施の形態によって本発明が限定されることはない。
【００１２】
実施の形態１．
本発明の実施の形態１に係る機器マネージメントシステムについて図１乃至３を用いて説明する。図１、２は実施の形態１に係る機器マネージメントシステムの構成を示すものであり、図３は本発明の実施の形態１に係る機器マネージメントシステムの通信シーケンスを示すものであり、図４は本発明の実施の形態１に係る機器マネージメントシステムにおけるリモコンの概略図を示すものである。
【００１３】
機器マネージメントシステムは、図１、２に示すように、エアコン、テレビ、照明器具などのネットワークに接続された機器１と、使用者が操作しネットワークを介して機器１に動作指令を与える情報端末２と、ネットワークに接続され、情報端末２に入力された情報を機器１に中継する中継器３と、機器１に接続されるとともに中継器３と通信可能であって、中継器３より設定される情報を機器１に伝える通信装置４と、使用者が操作しネットワークを介することなく機器１に直接に動作指令を与える機器１に付属のリモコン５と、を備えている。
【００１４】
情報端末２は、ネットワークを介して機器１に動作指令を与える装置であり、使用者が機器１への動作指示を入力する入力部２１と、入力部２１に入力した動作指示情報を動作指示信号としてネットワークを介して中継器３に送信する送信部と備えている。
【００１５】
中継器３は、情報端末２および、機器１に接続された通信装置４と通信をおこない、情報端末２からの指示を通信装置４に伝える装置であり、情報端末２から機器１への動作指示信号を受信するとともに、通信装置４から機器１の動作状態を示す情報を受信する受信部３１と、受信した信号の送信形式および送信先を制御する制御部３２と、受信部３１にて受信した情報端末２からの機器１への動作指示信号を通信装置４に送信する送信部３３を備えている。
【００１６】
通信装置４は、中継器３、機器１、およびリモコン５と通信をおこない、中継器３からの指示を機器１に伝えるとともに、通信装置４に接続されている機器１の状態を取得し、機器１付属のリモコン５および中継器３へ機器１の動作状態を伝える装置である。
【００１７】
通信装置４は、中継器３から機器１への動作指示信号を受信する受信部４１と、機器１の動作状況を機器１から収集する機器収集部４２と、受信部４１および機器収集部４２に送達された情報をＢｌｕｅｔｏｏｔｈ（登録商標）などの無線通信によってリモコン５へ送信する無線通信送信部４３と、受信部４１および機器収集部４２に送達された情報を中継器３へ送信する送信部４４と、受信部４１および機器収集部４２にて受信した信号の送信形式および送信先を制御する制御部４５を備えている。
【００１８】
リモコン５は、機器１に付属され、赤外線によって機器１の電源ＯＮ／ＯＦＦや各種設定を行うとともに、付属の機器１の動作状態を表示させる装置である。
【００１９】
リモコン５は、使用者が機器１への動作指示を入力する入力部５１と、入力部５１に入力された機器１の動作指示内容を赤外線によって機器１に送信する赤外線送信部５２と、通信装置４からＢｌｕｅｔｏｏｔｈ（登録商標）（登録商標）などの無線通信によって付属の機器１の動作状態を示す信号を受信する無線通信受信部５３と、入力部５１に入力した動作指示内容および機器１の動作状態を表示させる表示部５４と、通信装置４から送られた情報によって赤外線送信部５２および表示部５４の動作を制御する制御部５５を備えている。
【００２０】
次に、本発明の実施の形態１に係る機器マネージメントシステムの動作について図３を用いて説明する。
【００２１】
なお、媒体である電気を消費して稼働することにより利用者に利便性をもたらす機器１としては、エアコン、テレビ、照明器具、給湯器、床暖房装置など種々のものがあり、複数設けてもよいことは言うまでもないが、以下の説明ではエアコンによる冷暖房を行う際の指示を中継器３から出力する場合を例として説明する
【００２２】
図２，３に示すように、使用者が情報端末２の入力部２１を操作し機器１に対する動作指示を設定すると、機器１への動作指示信号が情報端末２の送信部から、インターネットを介して中継器３の受信部３１へ送られ、中継器３の制御部３２は、情報端末２から受信した機器１への動作指示信号を送信部３３から通信装置４へ送信する。
【００２３】
通信装置４の制御部４５は、受信部４１が中継器３から機器１への動作指示信号を受信すると、送信部４４から機器１へ動作指示信号を送信するとともに、無線通信送信部４３から、情報端末２から機器１に対して動作指示が行われていること示す、ＨＥＭＳ制御信号を、Ｂｌｕｅｔｏｏｔｈ（登録商標）などの無線通信によってリモコン５の無線通信受信部５３へ送信する。
【００２４】
通信装置４の送信部から動作指示信号を受信した機器１は、指示された動作をおこなう。リモコン５の制御部５５は、無線通信受信部５３がＨＥＭＳ制御信号を受信すると、表示部５４に、機器１が情報端末２により制御が行われていることを示すＨＥＭＳ制御表示をおこなう。
【００２５】
ここで、機器１が情報端末２により制御が行われていることを示すＨＥＭＳ制御表示とは、図４に示すように、ＨＥＭＳ制御中といった文字や、ＨＥＭＳ制御されていることを表わすマークなどのことを示す。
【００２６】
以上のように、本発明では、ＨＥＭＳコントローラである情報端末によって機器の制御が行われると、ＨＥＭＳコントローラによって機器が制御されていることを表わすＨＥＭＳ制御表示がリモコンに表示されるので、使用者は機器がＨＥＭＳコントローラによって制御されていることを容易に認識することができ、機器がＨＥＭＳ制御によって動作している最中に、迂闊にリモコンを操作よって機器を制御させるといったことがなくなるので、ＨＥＭＳコントローラ制御とリモコン制御の競合を防止し、効率的で安定した運転を機器に行わせる機器マネージメントシステムを提供することができる。
【００２７】
実施の形態２
以上の実施の形態１では、機器が情報端末により制御が行われている最中、ＨＥＭＳ制御中を示す表示がリモコンの表示部３５に表示される例について説明したが、これに限らず、実施の形態２では、リモコンの表示部３５に、機器がＨＥＭＳ制御を示す表示とともに、機器が情報端末により制御されている内容すなわち、現在の機器の動作状態を表示させることで、使用者にとって状況の理解が深まりより使い勝手の良い機器マネージメントシステムについて説明する。
【００２８】
本発明の実施の形態２に係る機器マネージメントシステムの動作について図１，２，５，６を用いて説明する。図５は、本実施の形態２に係る機器マネージメントシステムの通信シーケンスを示すもの、図６は本発明の実施の形態２に係る機器マネージメントシステムにおけるリモコンの概略図を示すものである。なお、実施の形態１と同一又は同等な構成部分については同一符号を付し、その説明を省略する。
【００２９】
図１、２，５に示すように、使用者が情報端末２の入力部２１を操作し機器１に対する動作指示を設定すると、機器１への動作指示信号が情報端末２の送信部から、インターネットを介して中継器３の受信部３１へ送られ、中継器３の制御部３２は、情報端末２から受信した機器１への動作指示信号を送信部３３から通信装置４へ送信する。
【００３０】
通信装置４の制御部４５は、受信部４１が中継器３から機器１への動作指示信号を受信すると、送信部４４から機器１へ動作指示信号を送信するとともに、無線通信送信部４３から、情報端末２から機器１に対して動作指示が行われていること示す、ＨＥＭＳ制御信号を、Ｂｌｕｅｔｏｏｔｈ（登録商標）などの無線通信によってリモコン５の無線通信受信部５３へ送信する。
【００３１】
通信装置４の送信部から動作指示信号を受信した機器１は、指示された動作をおこなう。リモコン５の制御部５５は、無線通信受信部５３がＨＥＭＳ制御信号を受信すると、表示部５４に、機器１が情報端末２により制御が行われていることを示すＨＥＭＳ制御表示をおこなう。
【００３２】
そして、機器１が情報端末２からの指示によって運転動作を開始した後、通信装置４の機器情報収集部４２は機器１の動作状況を示す情報を収集し、機器１の動作状況を示す情報を送信部４４から中継器３の受信部３１へ送信すると同時に、無線通信送信部４３から、リモコン５の無線通信受信部５３へ送信する。
【００３３】
リモコン５の制御部５５は、無線通信受信部５３が通信装置４から機器１の動作状況を示す情報を受信すると、表示部５４に、機器１の動作状況を示す表示をおこなう。よって、リモコン５の表示部５４には、図６に示すように、機器１が情報端末２により制御が行われていることを示すＨＥＭＳ制御表示とともに現在運転されている機器１の運転状況を示す表示が表示される。
【００３４】
以上のように、本発明では、ＨＥＭＳコントローラである情報端末によって機器の制御が行われると、ＨＥＭＳコントローラによって機器が制御されていることを表わすＨＥＭＳ制御表示をリモコンに表示させるとともに、ＨＥＭＳコントローラによって制御されている機器の動作内容をリモコンに表示させる。
【００３５】
よって、使用者にとって機器の動作状況の理解が深まるとともに、機器がどのような動作をおこなっているのかを確認するために、例えば、他の部屋に置かれている情報端末の入力内容を確認しにわざわざ部屋を移動する手間も省かれるので、さらに使い勝手の良い、ＨＥＭＳコントローラ制御とリモコン制御の競合を防止し、効率的で安定した運転を機器に行わせる機器マネージメントシステムを提供することができる。
【００３６】
実施の形態３
以上の実施の形態１乃至２では、機器の動作内容を示す情報は、通信装置を介してリモコンに送信されているが、通信装置に限らず、中継器からでもリモコンに機器の動作内容を示す情報および信号を送ることが可能である。実施の形態３では、通信装置に代わって中継器から機器の動作内容を示す情報をリモコンへ通信する動作を説明する。
【００３７】
本発明の実施の形態３に係る機器マネージメントシステムの動作について図６、７，８を用いて説明する。図７は本発明の実施の形態３に係る機器マネージメントシステムの全体構成を示すもの図８は、本実施の形態３に係る機器マネージメントシステムの通信シーケンスを示すものである。なお、実施の形態２と同一又は同等な構成部分については同一符号を付し、その説明を省略する。
【００３８】
図７に示すように、中継器３は、情報端末２、通信装置４、およびリモコン５と通信をおこない、情報端末２からの指示を通信装置４に伝えるとともに、通信装置４から送信される機器１の動作状態を示す情報を情報端末２およびリモコン５へ送信する装置である。
【００３９】
中継器３は、情報端末２から機器１への動作指示信号を受信するとともに、通信装置４から機器１の動作状態を示す情報を受信する受信部３１と、受信した信号の送信形式および送信先を制御する制御部３２と、受信部３１にて受信した情報端末２からの機器１への動作指示信号を通信装置４に送信する送信部３３と、受信部３１にて受信した機器１の動作状態を示す情報をＢｌｕｅｔｏｏｔｈ（登録商標）などの無線通信によってリモコン５へ送信する無線通信送信部３４を備えている。
【００４０】
通信装置４は、中継器３から機器１への動作指示信号を受信する受信部４１と、機器１の動作状況を機器１から収集する機器収集部４２と、受信部４１および機器収集部４２に送達された情報を中継器３へ送信する送信部４４と、受信部４１および機器収集部４２にて受信した信号の送信形式および送信先を制御する制御部４５を備えている。
【００４１】
図８に示すように、使用者が情報端末２の入力部２１を操作し機器１に対する動作指示を設定すると、機器１への動作指示信号が情報端末２の送信部から、インターネットを介して中継器３の受信部３１へ送られ、中継器３の制御部３２は、情報端末２から受信した機器１への動作指示信号を送信部３３から通信装置４へ送信するとともに、無線通信送信部３４から、情報端末２から機器１に対して動作指示が行われていること示す、ＨＥＭＳ制御信号を、Ｂｌｕｅｔｏｏｔｈ（登録商標）などの無線通信によってリモコン５の無線通信受信部５３へ送信する。
【００４２】
通信装置４の制御部４５は、受信部４１が中継器３から機器１への動作指示信号を受信すると、送信部４４から機器１へ動作指示信号を送信する。
【００４３】
通信装置４の送信部から動作指示信号を受信した機器１は、指示された動作をおこなう。リモコン５の制御部５５は、無線通信受信部５３がＨＥＭＳ制御信号を受信すると、表示部５４に、機器１が情報端末２により制御が行われていることを示すＨＥＭＳ制御表示をおこなう。
【００４４】
そして、機器１が情報端末２からの指示によって運転動作を開始した後、通信装置４の機器情報収集部４２は機器１の動作状況を示す情報を収集し、機器１の動作状況を示す情報を送信部４４から中継器３の受信部３１へ送信する。
【００４５】
中継器３の制御部３３は、受信部３１が通信装置４から機器１の動作状況を示す情報を受信すると、機器１の動作状況を示す情報を送信部３２から情報端末２へ送信するとともに、無線通信送信部３４から、リモコン５の無線通信受信部５３へ送信する。
【００４６】
リモコン５の制御部５５は、無線通信受信部５３が中継器３から機器１の動作状況を示す情報を受信すると、表示部５４に、機器１の動作状況を示す表示をおこなう。よって、リモコン５の表示部５４には、図６に示すように、機器１が情報端末２により制御が行われていることを示すＨＥＭＳ制御表示とともに現在運転されている機器１の運転状況を示す表示が表示される。
【００４７】
以上のように、本発明では、ＨＥＭＳコントローラである情報端末によって機器の制御が行われると、中継器を介して、ＨＥＭＳコントローラによって機器が制御されていることを表わすＨＥＭＳ制御表示および、ＨＥＭＳコントローラによって制御されている機器の動作内容をリモコンに表示させ、ＨＥＭＳコントローラ制御とリモコン制御の競合を防止し、効率的で安定した運転を機器に行わせる機器マネージメントシステムを提供することができる。
【００４８】
なお、実施の形態１乃至３において、機器の動作状態をリモコンへ送信するための無線通信送信部および機器の動作状態を通信装置もしくは中継器から受信するための無線通信送信部として、Ｂｌｕｅｔｏｏｔｈ（登録商標）などの無線通信装置を例に挙げているが、無線通信に限らず、ＬＡＮケーブルなどの有線通信をもちいて通信してもよい。
【００４９】
実施の形態４
以上の実施の形態１乃至３では、情報端末により制御が行われている最中、情報端末による機器の制御内容をリモコンの表示部に表示されることについて説明したが、実施の形態４では、使用者が、リモコンに表示されている情報端末による機器の制御内容に不満があった場合に、リモコンを操作するだけでＨＥＭＳコントローラによる制御からリモコンによる制御内容に容易に変更することができる機器マネージメントシステムについて説明する。
【００５０】
本発明の実施の形態４に係る機器マネージメントシステムの構成について図２、９，１０を用いて説明する。なお、実施の形態２と同一又は同等な構成部分については同一符号を付し、その説明を省略する。
【００５１】
図９は、この発明の実施の形態４に係るリモコン５の概略図を示すものであり、図１０はこの発明の実施の形態４に係るリモコン５が機器１のＨＥＭＳ制御中に入力部からの操作があった際に行う処理手順を示すフローチャートである。
【００５２】
図２に示すように、リモコン５は、使用者が機器１への動作指示を入力する入力部５１と、入力部５１に入力された機器１の動作指示内容を赤外線によって機器１に送信する赤外線送信部５２と、通信装置４からＢｌｕｅｔｏｏｔｈ（登録商標）などの無線通信によって付属の機器１の動作状態を示す信号を受信する無線通信受信部５３と、入力部５１に入力した動作指示内容および機器１の動作状態を表示させる表示部５４と、通信装置４から送られた情報によってリモコン５送信部および表示部の動作を制御するリモコン５制御部を備えている。
【００５３】
図９に示すように、リモコン５の入力部５１には、機器１の運転開始／停止、冷房／暖房の切替、室内空気温度の設定をおこなうキー５０１，５０２，５０３，５０４，５０５がそれぞれ設けており、機器１の運転開始／停止指令を出すためのキーとして、入／切キー５０１が設けられている。
【００５４】
リモコン５の制御部５５は、表示部５４にＨＥＭＳ制御表示が表示されている最中に、リモコン５の入力部５１の操作が行われると、表示部５４と赤外線送信部５２の動作制限をおこなう。
【００５５】
ここで、リモコン５の制御部５５がおこなう動作制限とは、表示部５４にＨＥＭＳ制御表示が表示されている最中に、リモコン５の入力部５１の入／切キー５０１以外のキーの動作要求を受けつけない動作をおこなうことであり、使用者がリモコンの入力部５１の入／切キー５０１以外のキーを押しても、表示部５４には、入力部５１によって入力された動作指示内容が表示されず、また、入力部５１によって入力された動作指示が赤外線送信部５２から機器１へ送られることができなくなることである。
【００５６】
なお、このとき、リモコン５の入／切キー５０１を１回押すと、表示５４部の、ＨＥＭＳ制御が点滅し、リモコン５の入／切キー５０１を１回押した後、所定時間ｔ内に再びリモコン５の入／切キー５０１を押すと、赤外線送信部５２から機器１へ運転停止の要求が発信されるとともに、リモコン５の制御部５５は、リモコン５の表示部５４の表示を消灯する。このとき、リモコン５の制御部５５の動作制限が解除される。
【００５７】
また、リモコン５の入／切キー５０１を１回押した後、所定時間ｔが経過した後に再度リモコン５の入／切キー５０１を押すと、リモコン５の制御部５５の動作制限が解除されることはなく、リモコン５の表示部５４の、情報端末２により指令を受けたことを示す表示が点滅する。
【００５８】
なお、所定時間ｔとは、使用者がリモコン５の操作を行ってから再度行うまでの間に、屋外の天気の変化などにより室内環境が変わる程度の時間（例えば１０分程度。）や、意図的にリモコン制御部の動作制限を解除させるための動作を行う場合と、非意図的にリモコン制御部の動作制限を解除させるための動作を行ってしまった場合の動作の区別のつけやすい時間（例えば５秒。）など、目的に合わせて変化させて良い時間である。
【００５９】
次に、本発明の実施の形態４に係る機器マネージメントシステムの動作について図８を用いて説明する。
【００６０】
使用者が情報端末２の入力部を操作し機器１に対する動作指示を設定すると、機器１への動作指示信号がインターネットおよび中継器３を介して通信装置４へ送信され、通信装置４から、リモコン５へ、情報端末２から機器１に対して動作指示が行われていること示す、ＨＥＭＳ制御信号が送信される。
【００６１】
図１０に示すように、通信装置４からＨＥＭＳ制御信号を受信したリモコン５は、表示部５４に、機器１が情報端末２により制御が行われていることを示す表示をおこない、それと同時にリモコン５の制御部５５によって表示部５３および赤外線送信部５２に動作制限がかかる。
【００６２】
そして、使用者が、表示部に、機器１が情報端末２により制御が行われていることを示す表示が行われ、リモコン５の制御部５５によって表示部５４および赤外線送信部５２に動作制限がかかっているリモコン５の入／切キー５０１を所定時間ｔ内に２回押すと、リモコン５の制御部５５の動作制限が解除され、赤外線送信部５２から機器１に運転停止要求が送信される。
【００６３】
赤外線送信部５２から運転停止の要求を受け取った機器１は運転動作を停止させ、通信装置４は、機器１の運転停止といった動作状態を示す情報を機器１から受信し、機器１の動作状態を中継器３に送信する。
【００６４】
情報端末２により、制御が行われている最中に、運転を停止したという機器１の動作状態を示す情報を受け取った中継器３は、機器１の情報端末２による制御を中止させる。これにより、機器１の運転動作が停止するとともに、機器１の情報端末２による制御が解除される。
【００６５】
その後、使用者がリモコン５により、機器１の動作を設定する操作をおこなうと、機器１のＨＥＭＳ制御が解除されているため、リモコン５による機器１の動作設定を行うことができる。
【００６６】
なお、リモコン５の入／切キー５０１を１回ではなく２回連続して押さないと、ＨＥＭＳ制御が解除できない理由は、使用者が、機器１がＨＥＭＳ制御されていることに気付かず、機器１の動作を開始させるために、誤ってリモコン５の入／切キー５０１を押してしまった場合でも、ＨＥＭＳ制御を停止させることなく、安定した効率良い運転を機器１にさせるためである。
【００６７】
以上のように、所定時間内にリモコンの入／切キー５０１を２回連続して押すといった簡易的動作によりＨＥＭＳ制御を解除することができるので、他の部屋に置かれているであろう情報端末で機器の運転停止の操作を入力するためにわざわざ部屋を移動する必要がなくなり、より使い勝手の良い、ＨＥＭＳコントローラ制御とリモコン制御の競合を防止し、効率的で安定した運転を機器に行わせる機器マネージメントシステムを提供することができる。
【００６８】
また、ＨＥＭＳ制御よりもリモコン制御を優先的におこなうための操作を、一般的に、リモコンに設けられたキーの中で最も操作しやすい位置に配置され、他のキーに比べ大きな形状をしている動作入／切キー５０１を用いて行うとともに、入／切キー５０１のみで操作が行えるため、電気が消えた部屋などリモコンのキーの配列が見えない場合でも容易に操作ができる、操作性に優れたＨＥＭＳ制御解除方法を提供することができる。
【符号の説明】
【００６９】
１  機器、２  情報端末、３  中継器、４  通信装置、５  リモコン、２１  入力部（情報端末）、２２  送信部（情報端末）、３１  受信部（中継器）、３２  制御部（中継器）、３３  送信部（中継器）、３４  無線通信送信部（中継器）、４１  受信部（通信装置）、４２  機器情報収集部、４３  無線通信送信部（通信装置）、４４  送信部（通信装置）、４５  制御部（通信装置）、５１  入力部（リモコン）、５２  赤外線送信部、５３  無線通信受信部、５４  表示部（リモコン）、５５  制御部（リモコン）、５０１  入／切キー、５０２  暖房切替キー、５０３  冷房切替キー、５０４  室温上下キー（上）、５０５  室温上下キー（下）
【図１】
2014212369.tif 000003
【図２】
2014212369.tif 000004
【図３】
2014212369.tif 000005
【図４】
2014212369.tif 000006
【図５】
2014212369.tif 000007
【図６】
2014212369.tif 000008
【図７】
2014212369.tif 000009
【図８】
2014212369.tif 000010
【図９】
2014212369.tif 000011
【図１０】
2014212369.tif 000012